(57)【要約】      （修正有）【課題】鎖を用いずとも荷物受取ボックスの持ち去りを防止することができ、集合住宅等でも好適に利用することができる荷物受取ボックスの設置構造を提供する。【解決手段】左右方向に所定の間隔を隔てて立設される一対の柱部３２、３２と、柱部３２、３２同士を左右方向で連結する連結部３３と、連結部３３の前面に設けられている掛止具３４とを備えた設置部材３１を玄関扉３０の前面に固定する。また、荷物受取ボックスの背板に、掛止具３４が挿通可能な挿通孔を開設する。そして、挿通孔に掛止具３４を挿通させてから、掛止爪３６、３６を挿通孔の周縁に掛止させることにより、荷物受取ボックスを玄関扉３０の前面に設置可能とした。【選択図】図７
2020025625.tif 000002
【特許請求の範囲】
【請求項１】
前面、上面、及び左右両側面のうち少なくとも一面が開口する方体箱状の本体と、前記開口を開閉するとともに、前記開口を閉塞した状態で施錠／解錠可能な錠部材が取り付けられた蓋体とを有する荷物受取ボックスを、垂直面となる設置面に設置するための荷物受取ボックスの設置構造であって、
左右方向へ所定の間隔を隔てて立設される一対の柱部と、両前記柱部を左右方向で連結する連結部と、前記連結部の前面に設けられ、掛止爪を出没可能に備えた掛止具とを有する設置部材が前記設置面に固定されている一方、前記本体の背板に、前記掛止具を挿通可能な挿通孔が開設されており、
前記掛止具を前記挿通孔へ挿通させ、前記掛止爪を前記挿通孔の周縁に掛止させることにより、前記荷物受取ボックスを前記設置面に設置可能としたことを特徴とする荷物受取ボックスの設置構造。
【請求項２】
前記設置面が扉の前面である一方、
前記柱部が伸縮自在であるとともに、前記柱部の上下両端に、前記扉の上下両面に係止可能な係止金具が夫々固定されていることを特徴とする請求項１に記載の荷物受取ボックスの設置構造。
【請求項３】
前記連結部に、前記柱部へ取り付けるための取付部が設けられている一方、
前記柱部の対向面に、前記取付部が取付可能な複数の被取付部が、上下方向へ複数箇所設けられており、
前記連結部の前記柱部への取付位置、及び取付数を変更可能としたことを特徴とする請求項１又は２に記載の荷物受取ボックスの設置構造。
【発明の詳細な説明】
【技術分野】
【０００１】
本発明は、荷物受取ボックスを玄関扉等に設置するための設置構造に関するものである。
【背景技術】
【０００２】
従来、配達された荷物を受け取るための荷物受取ボックスとして、たとえば特許文献１に記載されているような折り畳み式の荷物受取ボックスが考案されている。そして、そのような荷物受取ボックスを利用して、たとえば不在時に荷物を受け取るためには、当該荷物受取ボックスを玄関扉の外等の室外に設置しておく必要がある。ただ、荷物受取ボックスを室外に設置するとなると、荷物受取ボックスが持ち去られないようにする必要があるため、特許文献１に記載の発明では、鎖を用いて荷物受取ボックスを門柱等に繋いでいる。
【先行技術文献】
【特許文献】
【０００３】
【特許文献１】特開２０１０−８２４８２号公報
【発明の概要】
【発明が解決しようとする課題】
【０００４】
しかしながら、たとえば集合住宅等のような住宅では、鎖を繋ぐ門柱等がないため、特許文献１に記載されているような荷物受取ボックスを利用しづらいという問題があった。
【０００５】
そこで、本発明は、上記問題に鑑みなされたものであって、鎖を用いずとも荷物受取ボックスの持ち去りを防止することができ、集合住宅等でも好適に利用することができる荷物受取ボックスの設置構造を提供しようとするものである。
【課題を解決するための手段】
【０００６】
上記目的を達成するために、本発明のうち請求項１に記載の発明は、前面、上面、及び左右両側面のうち少なくとも一面が開口する方体箱状の本体と、前記開口を開閉するとともに、前記開口を閉塞した状態で施錠／解錠可能な錠部材が取り付けられた蓋体とを有する荷物受取ボックスを、垂直面となる設置面に設置するための荷物受取ボックスの設置構造であって、左右方向へ所定の間隔を隔てて立設される一対の柱部と、両前記柱部を左右方向で連結する連結部と、前記連結部の前面に設けられ、掛止爪を出没可能に備えた掛止具とを有する設置部材が前記設置面に固定されている一方、前記本体の背板に、前記掛止具を挿通可能な挿通孔が開設されており、前記掛止具を前記挿通孔へ挿通させ、前記掛止爪を前記挿通孔の周縁に掛止させることにより、前記荷物受取ボックスを前記設置面に設置可能としたことを特徴とする。
請求項２に記載の発明は、請求項１に記載の発明において、前記設置面が扉の前面である一方、前記柱部が伸縮自在であるとともに、前記柱部の上下両端に、前記扉の上下両面に係止可能な係止金具が夫々固定されていることを特徴とする。
請求項３に記載の発明は、請求項１又は２に記載の発明において、前記連結部に、前記柱部へ取り付けるための取付部が設けられている一方、前記柱部の対向面に、前記取付部が取付可能な複数の被取付部が、上下方向へ複数箇所設けられており、前記連結部の前記柱部への取付位置、及び取付数を変更可能としたことを特徴とする。
【発明の効果】
【０００７】
本発明によれば、左右方向へ所定の間隔を隔てて立設される一対の柱部と、両柱部を左右方向で連結する連結部と、連結部の前面に設けられ、掛止爪を出没可能に備えた掛止具とを有する設置部材が設置面に固定されている一方、本体の背板に、掛止具を挿通可能な挿通孔が開設されている。そして、掛止具を挿通孔へ挿通させ、掛止爪を挿通孔の周縁に掛止させることにより、荷物受取ボックスを設置面に設置可能としている。したがって、鎖を門柱に繋ぐ等することなく荷物受取ボックスの持ち去りを防止することができるため、たとえば集合住宅等であっても好適に利用することができる。
また、請求項２に記載の発明によれば、柱部が伸縮自在であるとともに、柱部の上下両端に、扉の上下両面に係止可能な係止金具が夫々固定されている。したがって、扉の大きさに応じて柱部の長さを調整することができるため、汎用性の高い設置構造とすることができる。
さらに、請求項３に記載の発明によれば、連結部に、柱部へ取り付けるための取付部が設けられている一方、柱部の対向面に、取付部が取付可能な複数の被取付部が、上下方向へ複数箇所設けられており、連結部の柱部への取付位置、及び取付数を変更可能としている。したがって、荷物受取ボックスの大きさに応じて連結部の位置を変更したり、複数の荷物受取ボックスを設置部材に設置したりすることができ、非常に汎用性の高い荷物受取ボックスの設置構造とすることができる。
【図面の簡単な説明】
【０００８】
【図１】組み立て状態にある荷物受取ボックスを示した斜視説明図である。
【図２】仮組み状態にある荷物受取ボックスを示した斜視説明図である。
【図３】仮組み状態において本体から蓋体を取り外した状態を示した斜視説明図である。
【図４】展開された状態にある本体を示した斜視説明図である。
【図５】底板が折り畳み姿勢にある本体を示した斜視説明図である。
【図６】蓋体が施錠された状態にある荷物受取ボックスのダイヤル錠部分での断面を示した説明図である。
【図７】設置部材を玄関扉に固定した状態を示した斜視説明図である。
【図８】係止金具が玄関扉の上面及び下面に係止している状態を示した断面説明図である。
【図９】設置部材に、仮組み状態にある本体を設置した状態を示した説明図である。
【発明を実施するための形態】
【０００９】
以下、本発明の一実施形態となる荷物受取ボックスの玄関扉への設置構造について、図面にもとづき詳細に説明する。
【００１０】
図１は、組み立て状態にある荷物受取ボックス１を示した斜視説明図である。図２は、仮組み状態にある荷物受取ボックス１を示した斜視説明図である。図３は、仮組み状態において本体２から蓋体３を取り外した状態を示した斜視説明図である。図４は、展開された状態にある本体２を示した斜視説明図である。図５は、底板６が折り畳み姿勢にある本体２を示した斜視説明図である。図６は、蓋体３が施錠された状態にある荷物受取ボックス１のダイヤル錠２０部分での断面を示した説明図である。図７は、設置部材３１を玄関扉３０に固定した状態を示した斜視説明図である。図８は、係止金具３５、３５が玄関扉３０の上面及び下面に係止している状態を示した断面説明図である。図９は、設置部材３１に、仮組み状態にある本体２を設置した状態を示した説明図である。
【００１１】
まず、荷物受取ボックス１について説明する。荷物受取ボックス１は、上面に開口する本体２と、本体２に対して着脱することで本体２の上面開口を開閉する蓋体３とを備えてなる。本体２は、背板４、前板５、底板６、及び左右の側板７、７を一体的に有しており、背板４の上部には、後述する掛止具３４が挿通可能な挿通孔８が開設されているとともに、背板４の内面側における挿通孔８の開口縁に沿って、挿通孔８部分を補強するための補強リブ９が突設されている。前板５は、背板４と略同じ大きさに成形されており、前板５の上部には、印鑑５０を露出させるための窓１０が開設されているとともに、前板５の内面側における窓１０の下縁に沿って、印鑑５０を捺印する際に伝票等を載置するための載置台１１が突設されている。また、前板５の内面で印鑑５０の上方となる位置には、後述するダイヤル錠２０の爪片２１が係止可能な係止片１３が設けられている。なお、印鑑５０は、前板５の左右方向での中央から左寄りの位置に設置されている。また、窓１０は、印鑑５０よりも右側にも十分な開口スペースがとられるように開設されている。
【００１２】
各側板７は、前後方向での中央部分で左右夫々内側に二つ折り可能に構成されてなるもので、背板４と前板５との側縁同士を連結するように取り付けられている。また、各側板７の後端縁は背板４に対して、前端縁は前板５に対して夫々上下方向を軸として回動可能とされており、二つ折り時には背板４や前板５の内面と略平行となり（図２、図３等）、展開時には背板４や前板５に対して略直角に起立する（図１、図４等）ようになっている。さらに、底板６は、その後端縁が背板４の下縁に左右方向を軸として回動可能に連結され、背板４の内面と略平行となるように起立する折り畳み姿勢（図５）と、背板４から前方へ略直角に突出して背板４と前板５との下縁同士を連結する展開姿勢との間で姿勢変更可能となっている。なお、底板６の前端縁には、折り畳み姿勢とした際に補強リブ９との干渉を避けるための切り欠き１２が設けられている。また、各側板７の前後方向での中央上部には、二つ折りした際に補強リブ９との干渉を避けるための切り欠き１４が夫々設けられている。
【００１３】
一方、蓋体３は、外周縁が下方へ折り曲げられた上面視矩形の板体で、上面開口を閉塞するように本体２へ装着した際、印鑑５０の直上となる位置にダイヤル錠２０が取り付けられている（図６）。このダイヤル錠２０は周知のものであり、蓋体３上面に、ユーザーが回転操作するダイヤル部２２が露出している一方、蓋体３内面側に、ダイヤル部２２の回転操作に応じて回転する座（図示せず）を内蔵しているとともに、上面開口を閉塞した状態で蓋体３を施錠／解錠する爪片２１を出没自在に備えた機構部２３が突出している。
【００１４】
上記荷物受取ボックス１は、本体２が折り畳まれ（すなわち、底板６が折り畳み姿勢にあり、且つ、両側板７、７が二つ折りにされている）、さらに当該本体２に対して、前板５の前面を覆うように蓋体３が仮組みされた状態で設置される。このとき、ダイヤル錠２０の機構部２３は、窓１０の右部、つまり印鑑５０の右側に差し込まれている。そして、荷物が配達されると、宅配業者によって本体２から蓋体３が取り外され、本体２が組み立てられる。すなわち、前板５を前側へ引き出すことで側板７、７を一枚板状とした後、底板６を展開姿勢として本体２を組み立てる。その後、本体２に荷物が収納されてから、蓋体３により本体２の上面開口が閉塞され、更にダイヤル錠２０の操作に伴い蓋体３が施錠されるという態様で使用されることになる。なお、蓋体３による本体２の閉塞時に、ダイヤル錠２０の機構部２３の先端が印鑑５０の上面に当接し、印鑑５０を下方へ押し込むようになっている。したがって、蓋体３による本体２の閉塞に応じて、伝票等への捺印が行われることになる。
【００１５】
次に、荷物受取ボックス１の玄関扉３０への設置構造について説明する。本実施形態では、垂直面となる玄関扉３０の前面（室外側の面）が設置面とされ、荷物受取ボックス１を設置するための設置部材３１が固定されている。該設置部材３１は、左右方向に所定の間隔を隔てて立設される一対の柱部３２、３２と、柱部３２、３２同士を左右方向で連結する連結部３３と、連結部３３の前面に設けられている掛止具３４とを備えてなる。各柱部３２は、長手方向に伸縮させることで長さを調整可能とされており、長手方向での両端部には、玄関扉３０の上面や下面に引っ掛けられる金属薄板状の係止金具３５、３５が固定されている。掛止具３４は、ケースの左右両側面から夫々外方へ突出する一対の掛止爪３６、３６を有する周知の部材であって、ケース前面に設けられた摘まみを操作することで、掛止爪３６、３６をケース内へ没入させたり、ケースから突出させたりすることができるようになっている。また、該掛止具３４の大きさに挿通孔８の大きさは合わせられており、略同じとされている。
【００１６】
そして、上記設置部材３１を玄関扉３０へ固定するにあたっては、柱部３２、３２の長さを玄関扉３０に合わせて調整し、一方の係止金具３５を玄関扉３０の下面に、他方の係止金具３５を玄関扉３０の上面に夫々係止させればよい（図７、図８）。このとき、連結部３３の上下方向での高さ位置は、荷物受取ボックス１における底面から挿通孔８までの高さと略同じ（若しくはそれ以上）となる。そこで、本体２が折り畳まれている状態のまま、挿通孔８に掛止具３４を挿通させてから、掛止爪３６、３６を補強リブ９に掛止させれば、荷物受取ボックス１を玄関扉３０の前面に設置することができる。なお、蓋体３は、本体２の設置部材３１への設置後に取り付ければよい（図９）。
【００１７】
以上のような構成を有する荷物受取ボックス１の玄関扉３０への設置構造によれば、左右方向に所定の間隔を隔てて立設される一対の柱部３２、３２と、柱部３２、３２同士を左右方向で連結する連結部３３と、連結部３３の前面に設けられている掛止具３４とを備えた設置部材３１を玄関扉３０の前面に固定する。また、荷物受取ボックス１の背板４に、掛止具３４が挿通可能な挿通孔８を開設する。そして、挿通孔８に掛止具３４を挿通させてから、掛止爪３６、３６を挿通孔８の周縁（すなわち補強リブ９）に掛止させることにより、荷物受取ボックス１を玄関扉３０の前面に設置可能とした。したがって、鎖を門柱に繋ぐ等することなく荷物受取ボックス１の持ち去りを防止することができるため、たとえば集合住宅等であっても好適に利用することができる。
【００１８】
また、各柱部３２が伸縮自在であるとともに、各柱部３２の上下両端に、玄関扉３０の上下両面に係止可能な係止金具３５、３５が夫々固定されている。したがって、玄関扉３０の大きさに応じて柱部３２、３２の長さを調整することができるため、汎用性の高い設置構造とすることができる。
【００１９】
なお、本発明の荷物受取ボックスの設置構造に係る構成は、上記実施形態の態様に何ら限定されるものではなく、荷物受取ボックス及び設置部材等に係る構成について、本発明の趣旨を逸脱しない範囲で、必要に応じて適宜変更することができる。
【００２０】
たとえば柱部に対して連結部を着脱可能とする一方、柱部に連結部の取付位置を複数設けることで、柱部への連結部の取付位置及び取付数を変更可能にしてもよい。つまり、連結部の左右両端に、左右外方へ突出する突起等の取付部を設ける一方、柱部の対向面に、取付部を挿入可能な挿入孔等の被取付部を、上下方向へ所定の間隔毎に複数箇所設ける等すればよい。このような構成を採用することにより、荷物受取ボックスの大きさに応じて連結部の位置を変更したり、複数の荷物受取ボックスを設置部材に設置したりすることができ、非常に汎用性の高い荷物受取ボックスの設置構造とすることができる。
【００２１】
また、上記実施形態では、玄関扉の前面を設置面としているが、一戸建ての住宅等で使用する場合には、たとえば玄関の壁面を設置面とすることも可能である。そのような場合には、柱部の設置面への固定に係り、係止金具によって係止させるのではなく、ボルトを用いて固定する等すればよい。
さらに、上記実施形態では、本体の上面に開口を設けているが、本体の前面に開口を設けたり、左右の側面に開口を設けたりしてもよいし、蓋体を本体に対して着脱するのではなく、片開き可能に本体に取り付けるとしても何ら問題はない。
加えて、荷物受取ボックスを、上記実施形態のような折り畳み式に構成する必要はないし、錠部材についてもダイヤル錠に何ら限定されることはなく、タッチパネル式の電子錠を設けることも可能である。
【符号の説明】
【００２２】
１・・荷物受取ボックス、２・・本体、３・・蓋体、４・・背板、５・・前板、８・・挿通孔、９・・補強リブ、２０・・ダイヤル錠（錠部材）、３０・・玄関扉、３１・・設置部材、３２・・柱部、３３・・連結部、３４・・掛止具、３５・・係止金具、３６・・掛止爪、５０・・印鑑。
【図１】
2020025625.tif 000003
【図２】
2020025625.tif 000004
【図３】
2020025625.tif 000005
【図４】
2020025625.tif 000006
【図５】
2020025625.tif 000007
【図６】
2020025625.tif 000008
【図７】
2020025625.tif 000009
【図８】
2020025625.tif 000010
【図９】
2020025625.tif 000011